(57)【要約】【課題】  従来の輸液装置では、チューブの脱着時に固定された内壁と公転するローラとの隙間にチューブを挿入する際には、ロータを回しながら徐々にチューブを挿入するものであるため手間がかかり、誤装着懸念もあった。【解決手段】  本発明の輸液装置は、チューブをしごく内壁部材とローラとの隙間を作動カムにより、拡大可能とし、チューブ脱着時に内壁材部をローラから遠ざけてチューブの脱着操作を容易にしたことを特徴とする。【選択図】  図３
2006095030.tif 000002
【特許請求の範囲】
【請求項１】
原動機にて１個以上のローラを有するロータを回転させ、ローラとハウジングの内壁間でチューブをしごき液体を送出させる輸液装置であって、チューブをしごく内壁の少なくとも一部をローラから離接自在ならしめたことを特徴とする輸液装置。
【請求項２】
上記内壁の少なくとも一部を離接自在ならしめる手段が、上記ハウジング本体によって移動自在にガイドされる内壁部分と、上記ハウジング本体に回動自在に枢支した、上記内壁部分を貫通して延びる回転軸と、この回転軸にその基部を固定した回動レバーと、上記内壁部分内に形成した空洞部内に配置されたその基部を上記回転軸に固定したカムとを有し、上記回動レバーを介して上記カムを回動すれば上記内壁の少なくとも一部が上記ローラに離接されることを特徴とする請求項１記載の輸液装置。
【発明の詳細な説明】
【技術分野】
【０００１】
本発明は輸液装置に係り特に原動機の回転により、薬液、血液等を搬送するチューブをしごくローラを公転駆動させ、薬液、血液等を人体に注入する輸液装置に関するものである。
【背景技術】
【０００２】
チューブは、固定された内壁と公転するローラとの隙間に装着され、公転するローラにしごかれることにより薬液等が送出される。
【０００３】
【特許文献１】特開昭６１−２６８８８７号公報
【発明の開示】
【発明が解決しようとする課題】
【０００４】
然しながらこのような従来のものではチューブを装着する隙間はチューブが潰れるほどの隙間になるよう設定されているため、ローラを有するロータを回しながら上記隙間に徐々にチューブを挿入する必要があり、チューブの装着には、時間がかかり、装着性は良くない状況である。
【０００５】
また、チューブの取り外しについても装着と同様であり、狭い隙間に狭まっているチューブを、固定された内壁と公転するローラとの隙間から取り出すには、相当な引き出し力及びチューブの損傷に気を付ける等、作業性が悪い状況である。
【０００６】
本発明は上記の欠点を除くようにしたものである。
【課題を解決するための手段】
【０００７】
本発明の輸液装置は、原動機にて１個以上のローラを有するロータを回転させ、ローラと内壁間でチューブをしごき液体を送出させる輸液装置であって、チューブをしごく内壁の少なくとも一部をローラから離接自在ならしめたことを特徴とする。
【０００８】
また、本発明の輸液装置は、上記内壁の少なくとも一部を離接自在ならしめる手段が、上記ハウジング本体によって移動自在にガイドされる内壁部分と、上記ハウジング本体に回動自在に枢支した、上記内壁部分を貫通して延びる回転軸と、この回転軸にその基部を固定した回動レバーと、上記内壁部分内に形成した空洞部内に配置されたその基部を上記回転軸に固定したカムとを有し、上記回動レバーを介して上記カムを回動すれば上記内壁の少なくとも一部が上記ローラに離接されることを特徴とする。
【発明の効果】
【０００９】
本発明の輸液装置においては、内壁部分とローラ間の隙間を極めて簡単、容易に拡大することができるので、操作性を向上させることが可能である。
【発明を実施するための最良の形態】
【００１０】
以下図面によって本発明の実施例を説明する。
【実施例１】
【００１１】
図１〜図３において１は板状のロータ、２はこのロータ１の外周からその一部がはみ出るよう外周近くに回転自在に枢支した円周方向に互いに離間した複数個の例えば３個のローラ、３はハウジング本体、４は上記ローラ２を含むロータ１の外周をその少なくとも１８０°に亘り取り囲むよう上記ハウジング本体３に形成した内壁面、５は上記ハウジング本体３の一端に形成した開口、６は上記ハウジング本体３の内壁面４と、上記ロータ１の外周面間に形成される所望の間隙、７は上記ロータ１を回転せしめる駆動源、８は上記ハウジング本体３の開口５から上記間隙６内に挿入し、上記ロータ１を取り巻くようにした、薬液、血液等を搬送するチューブ、９は上記ハウジング本体３の上部開口を塞ぐ開閉自在なカバーを示し、本発明においては上記ハウジング本体３の一端開口５に対向する上記内壁面４の一部分４′を含む内壁部分１０を上記ハウジング本体３から分離せしめ、これをスライド手段１１によって上記ハウジング本体３に対し、その一端開口５に接近するＸ方向にスライド自在ならしめる。
【００１２】
上記スライド手段１１は、上記内壁部分１０を上記ハウジング本体３に相対的に上記ハウジング本体３の一端開口５に接近するＸ方向にガイドせしめるガイドロッド１２と、上記ハウジング本体３に回動自在に枢支した、上記内壁部分１０を貫通して延びる回転軸１３と、この回転軸１３にその基部を固定した回動レバー１４と、上記内壁部分１０内に形成した空洞部１５と、この空洞部１５内に配置されたその基部を上記回転軸１３に固定したハート型カム１６とにより構成し、回動レバー１４を図２に示す位置から反時計方向に回動すれば、図３に示す空洞部１５内でハート型カム１６が反時計方向に回動し、その先端遊端部が内壁部分１０を回転軸１３を基点として上記Ｘ方向に押し、図４〜図６に示すようにチューブ８をロータ１上のローラ２に押し付けるようになり、ロータ１の回転によってチューブ８は上記隙間６内でしごかれ、チューブ８内の液体が送出されるようになる。
【００１３】
本発明の輸液装置によれば、回動レバー１４を図２，図３のように回転軸１３を中心に時計方向に回動したとき内壁部分１０が反Ｘ方向に移動してロータ１との間に十分な隙間が形成されるようになるため、チューブ８の脱着が極めて容易となり、操作性を向上することができる。
【００１４】
なお、上記回動レバー１４は手動操作するほか従来既知の手段で電動化することも可能である。
【００１５】
また、チューブしごき動作中に内壁部分１０に加わる反力は上記回転軸１３によって受けるか、または反力のベクトル方向をカムの回転軸中心方向に向けることにより対応可能である。
【００１６】
また、カバー９の開閉に連動させてカム１６を回転させることも可能である。
【図面の簡単な説明】
【００１７】
【図１】本発明の輸液装置の横断平面図である。
【図２】図１に示す輸液装置の縦断正面図である。
【図３】内壁部分を断面とした、図１に示す輸液装置の縦断正面図である。
【図４】本発明の輸液装置の運転状態における横断平面図である。
【図５】図４に示す輸液装置の縦断正面図である。
【図６】内壁部分を断面とした、図４に示す輸液装置の縦断正面図である。
【符号の説明】
【００１８】
１    ロータ
２    ローラ
３    ハウジング本体
４    内壁面
４′  一部分
５    開口
６    間隙
７    駆動源
８    チューブ
９    カバー
１０    内壁部分
１１    スライド手段
１２    ガイドロッド
１３    回転軸
１４    回動レバー
１５    空洞部
１６    ハート型カム
【図１】
2006095030.tif 000003
【図２】
2006095030.tif 000004
【図３】
2006095030.tif 000005
【図４】
2006095030.tif 000006
【図５】
2006095030.tif 000007
【図６】
2006095030.tif 000008